(57)【要約】【課題】自装置の傾きを自然に認識することができる撮像装置を提供することを目的とする。【解決手段】被写体の光学画像を生成する光学系１０と、前記光学画像を画像信号に変換する撮像素子１０ｅと、前記画像信号の傾きを変化させる傾き変更手段１６と、前記画像信号に基づく画像を表示する表示手段４０と、自装置の傾きを検出する傾き検出手段１２と、前記傾き検出手段１２が検出した自装置の傾きよりも前記画像信号の傾きが大きくなるよう前記傾き変更手段１６を制御する制御手段１３と、を備えることを特徴とする。【選択図】図１
2011155425.tif 000002
【特許請求の範囲】
【請求項１】
被写体の光学画像を生成する光学系と、
前記光学画像を画像信号に変換する撮像素子と、
前記画像信号の傾きを変化させる傾き変更手段と、
前記画像信号に基づく画像を表示する表示手段と、
自装置の傾きを検出する傾き検出手段と、
前記傾き検出手段が検出した自装置の傾きよりも前記画像信号の傾きが大きくなるよう前記傾き変更手段を制御する制御手段と、
を備えることを特徴とする撮像装置。
【請求項２】
前記光学系の倍率を変化させる光学ズーム手段と、
前記画像信号の一部を切り出す電子ズーム手段と、
をさらに備え、
前記制御手段は、
前記傾き変更手段が前記画像信号の傾きを変化させるときに、前記光学系の倍率が小さくなるよう前記光学ズーム手段を制御し、前記光学ズーム手段によって前記光学系の倍率が小さくなることを打ち消すよう前記電子ズーム手段を制御する、
ことを特徴とする請求項１に記載の撮像装置。
【請求項３】
前記画像信号に基づく画像を記録する記録手段、
をさらに備え、
前記制御手段は、
前記画像信号に基づく画像を前記表示手段に表示させるときには前記傾き検出手段が検出した自装置の傾きよりも前記画像信号の傾きが大きくなるよう前記傾き変更手段を制御し、
前記画像信号に基づく画像を前記記録手段に記録させるときには前記傾き検出手段が検出した自装置の傾きよりも前記画像信号の傾きが小さくなるよう前記傾き変更手段を制御する、
ことを特徴とする請求項１又は請求項２に記載の撮像装置。
【請求項４】
前記制御手段は、
前記傾き検出手段が検出した自装置の傾きに基づいて自装置の傾きを変化させる程度を変更するよう前記傾き変更手段を制御する、
ことを特徴とする請求項１から請求項３のいずれかに記載の撮像装置。
【請求項５】
前記制御手段は、
前記傾き検出手段が検出した自装置の傾きが大きくなるほど自装置の傾きを変化させる程度を強くする、
ことを特徴とする請求項４に記載の撮像装置。
【発明の詳細な説明】
【技術分野】
【０００１】
本発明は、画像データを生成する撮像装置に関するものであり、より詳しくは、自装置の傾きを認識することができる撮像装置に関するものである。
【背景技術】
【０００２】
自装置の傾きを認識することができる撮像装置に関する先行技術文献として、特許文献１、特許文献２がある。
【０００３】
特許文献１に記載の傾き表示装置は、自装置が水平な状態にあるときにパイロットランプが点灯し、移動表示体がモニタ画面の上部中央に位置するようになる。一方、自装置が傾くとパイロットランプは消灯し、移動表示体はモニタ画面の上部右端又は上部左端に移動する。これによって、自装置が水平な状態にあるか否か、及び自装置が傾いている場合は、どちらに傾いているかを容易に認識することができる。
【０００４】
特許文献２に記載の撮像装置は、風景撮影モードにおいて自装置の傾きが所定値以上であれば傾きガイド表示を表示し、所定値以下であればこれを表示しない。ここで、風景撮影モードにおける所定値は、その他の撮影モードにおける所定値よりも小さく設定されている。これによって、自装置の傾きが目立ちやすい風景撮影モードにおいて、自装置の傾きを容易に認識することができる。
【先行技術文献】
【特許文献】
【０００５】
【特許文献１】特開２００２−０７７７１２号公報
【特許文献２】特開２００８−０１７０３６号公報
【発明の概要】
【発明が解決しようとする課題】
【０００６】
しかし、特許文献１に記載の傾き表示装置においては、自装置が水平な状態にあるか否かをパイロットランプの点灯によって示すので、これを見落とすことが考えられる。自装置がどちらに傾いているかを示す移動表示体についても同様である。また、撮像装置は、一般に合焦が完了したことを示すマークをモニタ画面に表示する場合が多いので、パイロットランプや移動表示体と合焦が完了したことを示すマークの混同が考えられる。
【０００７】
また、特許文献２に記載の撮像装置においては、ガイド表示をモニタ画面上の直線として表示するので、モニタ画面を観察しながら構図を決定するときの障害になる。また、被写体を注視しているときは、これを見落とすことが考えられる。
【０００８】
本発明は、前記課題を解決し、自装置の傾きを自然に認識することができる撮像装置を提供することを目的とする。
【課題を解決するための手段】
【０００９】
前記課題を解決するために、本発明の撮像装置は、被写体の光学画像を生成する光学系と、前記光学画像を画像信号に変換する撮像素子と、前記画像信号の傾きを変化させる傾き変更手段と、前記画像信号に基づく画像を表示する表示手段と、自装置の傾きを検出する傾き検出手段と、前記傾き検出手段が検出した自装置の傾きよりも前記画像信号の傾きが大きくなるよう前記傾き変更手段を制御する制御手段と、を備えることを特徴とする。
【００１０】
これによって、表示手段には、自装置の傾きを強調した画像が表示されるから、自装置の傾きを自然に認識することができる。
【００１１】
また、本発明の撮像装置は、前記光学系の倍率を変化させる光学ズーム手段と、前記画像信号の一部を切り出す電子ズーム手段と、をさらに備え、前記制御手段は、前記傾き変更手段が前記画像信号の傾きを変化させるときに、前記光学系の倍率が小さくなるよう前記光学ズーム手段を制御し、前記光学ズーム手段によって前記光学系の倍率が小さくなることを打ち消すよう前記電子ズーム手段を制御する、ことを特徴とする。
【００１２】
これによって、傾き変更手段が画像信号の傾きを変化させたときにおいても、表示手段に表示される画像の一部が欠けることはない。
【００１３】
また、本発明の撮像装置は、前記画像信号に基づく画像を記録する記録手段、をさらに備え、前記制御手段は、前記画像信号に基づく画像を前記表示手段に表示させるときには前記傾き検出手段が検出した自装置の傾きよりも前記画像信号の傾きが大きくなるよう前記傾き変更手段を制御し、前記画像信号に基づく画像を前記記録手段に記録させるときには前記傾き検出手段が検出した自装置の傾きよりも前記画像信号の傾きが小さくなるよう前記傾き変更手段を制御する、ことを特徴とする。
【００１４】
これによって、自装置の傾きを強調した画像を表示手段に表示したにも関わらず、自装置が傾いた状態のまま撮影が行われたときであっても、自装置の傾きを補正した画像を記録することができる。
【００１５】
また、本発明の撮像装置における制御手段は、前記傾き検出手段が検出した自装置の傾きに基づいて自装置の傾きを変化させる程度を変更するよう前記傾き変更手段を制御する、ことを特徴とする。
【００１６】
これによって、傾き検出手段が検出した自装置の傾きが画像信号と切出枠の大きさから決定される傾き補正限界に近いときは、自装置の傾きをさらに大きく変化させることによって、自装置の傾きを明確に認識させることができる。
【発明の効果】
【００１７】
以上のように、本発明の撮像装置によれば、表示手段に自装置の傾きを強調した画像が表示されるから、自装置の傾きを自然に認識することができる。
【図面の簡単な説明】
【００１８】
【図１】本発明の実施例であるデジタルスチルカメラの構成を示すブロック図
【図２】本発明の実施例であるデジタルスチルカメラの背面斜視図
【図３】本発明の実施例であるデジタルスチルカメラの動作を示すフローチャート
【図４】本発明の実施例であるデジタルスチルカメラの傾き強調を説明する図
【図５】本発明の実施例であるデジタルスチルカメラの傾き補正を説明する図
【図６】画像の欠けを説明する図
【図７】傾き強調の程度を説明する図
【発明を実施するための形態】
【００１９】
（実施の形態）
本発明の実施例であるデジタルスチルカメラについて、図面を用いて詳細に説明する。
（１．構成）
図１は、本発明の実施例であるデジタルスチルカメラの構成を示すブロック図である。本発明の実施例であるデジタルスチルカメラは、構図を決定するための表示動作と撮影を行うための撮影動作とを行う。
【００２０】
まず、表示動作について説明する。表示動作とは、利用者が撮影に先立って構図を決めるために、撮像部１０に入射した被写体の光学画像を表示回路１９に接続された液晶ディスプレイ４０に連続的に表示する動作をいう。
【００２１】
撮像部１０は、対物レンズ１０ａ、ズームレンズ１０ｂ、フォーカスレンズ１０ｄからなる光学系と、ズームレンズ１０ｂを駆動する駆動回路１０ｃと、撮像素子１０ｅとから構成されている。ズームレンズ１０ｂは、駆動回路１０ｃと駆動機構（図示せず）によって光軸Ｏ−Ｏ’方向に駆動され、撮像素子１０ｅに入射する被写体の光学画像の倍率を変化させる。フォーカスレンズ１０ｄは、駆動回路（図示せず）と駆動機構（図示せず）によって光軸Ｏ−Ｏ’方向に駆動され、被写体の光学画像を撮像素子１０ｅに合焦させる。
【００２２】
撮像部１０は、入射した被写体の光学画像をＲＧＢ三原色に分解して画像信号であるデジタル化したＲＡＷデータに変換し、メインメモリ１１に書き込む。メインメモリ１１は、ＳＤＲＡＭ等の揮発性記憶素子で構成されている。画像処理回路１４は、メインメモリ１１からＲＡＷデータを読み出し、色空間変換を行ってＲＡＷデータをＹＣデータに変換し、メインメモリ１１に書き込む。表示回路１９は、メインメモリ１１からＹＣデータを読み出し、液晶ディスプレイ４０に出力する。液晶ディスプレイ４０には、被写体の動きがほぼリアルタイムで表示されるので、利用者は液晶ディスプレイ４０を見ながら構図を決めることができる。なお、本発明の実施例であるデジタルスチルカメラでは液晶ディスプレイ４０を採用したが、画像を表示することができる表示素子であればよい。例えば、有機ＥＬディスプレイ等を採用することもできる。
【００２３】
次に、撮影動作について説明する。撮影動作とは、利用者がシャッター釦４１を押したときに撮像部１０に入射した被写体の光学画像を画像データとしてメモリカード等の記憶媒体に記録する動作をいう。
【００２４】
制御回路１３は、マイコンにより構成してあり、本発明の実施例であるデジタルスチルカメラの全ての回路の監視と制御を行う。操作回路２０は、シャッター釦４１とモードダイヤル４２とズームレバー４３と十字キー４４が接続された入力回路である。制御回路１３は、操作回路２０の状態に従って撮影動作を制御する。
【００２５】
利用者は、モードダイヤル４２を回転させて、所望の撮影モードを選択する。撮影モードには、プログラムＡＥ、絞り優先ＡＥ、シャッター優先ＡＥ、マニュアル露出の各撮影モードがある。なお、これらの撮影モードの全てを有する必要はないし、これらの撮影モード以外の撮影モードを有していてもよい。
【００２６】
利用者によってシャッター釦４１が押されると、制御回路１３は、撮像部１０が記録のためのＲＡＷデータをメインメモリ１１に書き込むよう制御する。ここで、撮影動作において撮像部１０が出力するＲＡＷデータの画素数は、表示動作において撮像部１０が出力するＲＡＷデータの画素数と比較して圧倒的に多い。液晶ディスプレイ４０の画素数が数十万画素にとどまるのに対して、メモリカードに記録する画像データの画素数は、１０００万画素程度であるからである。
【００２７】
次に、制御回路１３は、画像処理回路１４がメインメモリ１１から記録のためのＲＡＷデータ読み出し、ＹＣデータに変換し、メインメモリ１１に書き込むよう制御する。次に、制御回路１３は、圧縮伸張回路１７がメインメモリ１１からＹＣデータを読み出し、圧縮ファイルに変換し、メインメモリ１１に書き込むよう制御する。また、制御回路１３は、表示回路１９がメインメモリ１１からＹＣデータを読み出し、液晶ディスプレイ４０に所定の時間だけ出力するよう制御する。液晶ディスプレイ４０には、撮影された画像が所定の時間だけ表示されるので、利用者は液晶ディスプレイ４０を見ながら撮影された画像の出来栄えを確認することができる。次に、制御回路１３は、記録回路１８がメインメモリ１１から圧縮ファイルを読み出し、交換可能な記憶媒体（図示せず）に記録するよう制御する。交換可能な記憶媒体としては、フラッシュメモリやハードディスクを内蔵したメモリカード等を使用することができる。
【００２８】
図２は、本発明の実施例であるデジタルスチルカメラの背面斜視図である。本発明の実施例であるデジタルスチルカメラの上面には、シャッター釦４１とズームレバー４３とが配されている。ズームレバー４３は、シャッター釦４１の中心を軸として回転可能である。ズームレバー４３を反時計回りに回転させると撮像部１０内のズームレンズ１０ｂが駆動され、被写体の大きさを拡大することができる。一方、ズームレバー４３を時計回りに回転させると撮像部１０内のズームレンズ１０ｂが駆動され、被写体の大きさを縮小することができる。
【００２９】
本発明の実施例であるデジタルスチルカメラの背面には、液晶ディスプレイ４０とモードダイヤル４２と十字キー４４とが配されている。十字キー４４は、撮影モード以外の設定に使用される。
【００３０】
傾き検出回路１２は、ジャイロを内蔵しており、本発明の実施例であるデジタルスチルカメラの傾き角を出力する。なお、本発明の実施例であるデジタルスチルカメラではジャイロを採用したが、本発明の実施例であるデジタルスチルカメラの傾き角を出力することができる素子であればよい。例えば、機械式傾斜計等を採用することもできる。
（２．動作）
図３は、本発明の実施例であるデジタルスチルカメラの動作を示すフローチャートである。図４は、本発明の実施例であるデジタルスチルカメラの傾き強調を説明する図である。図５は、本発明の実施例であるデジタルスチルカメラの傾き補正を説明する図である。本発明の実施例であるデジタルスチルカメラの動作は、表示動作と撮影動作に大別される。利用者によってシャッター釦４１が押されると、表示動作から撮影動作に移行する。表示動作においては傾き強調を行い、撮影動作においては傾き補正を行う。
【００３１】
表示動作において、制御回路１３は、本発明の実施例であるデジタルスチルカメラの傾き角を傾き検出回路１２から取得する（Ｓ６１）。表示動作において、撮像部１０は、ＲＡＷデータを所定の間隔（例えば、１／３０秒や１／６０秒）でメインメモリ１１に書き込んでいる。また、画像処理回路１４は、メインメモリ１１からＲＡＷデータを読み出してＹＣデータに変換し、メインメモリ１１に書き込んでいる。図４（ａ）は、メインメモリ１１に書き込まれたＹＣデータに基づく画像５１を示している。画像５１には、３人の人物５２〜５４が表示されている。３人の人物５２〜５４は反時計回りに傾いている。傾き検出回路１２から取得した傾き角は、時計回りに一定の角度を示している。
【００３２】
制御回路１３は、駆動回路１０ｃが撮像部１０内のズームレンズ１０ｂを駆動するよう制御する。これによって、被写体の大きさが縮小される。すなわち、画角が広くなる。図４（ｂ）は、画角を広くした後のＹＣデータに基づく画像５５を示している。制御回路１３は、電子ズーム回路１５が画角を広くした後のＹＣデータを拡大するよう制御する。
【００３３】
制御回路１３は、傾き変更回路１６が拡大した後のＹＣデータをさらに傾けるよう制御する。傾き変更回路１６は、ＹＣデータを構成する各画素を移動させることによって、拡大した後のＹＣデータをさらに反時計回りに傾ける。制御回路１３は、表示回路１９がさらに傾けた後のＹＣデータの一部を液晶ディスプレイ４０に出力するよう制御する（Ｓ６２）。
【００３４】
図４（ｃ）は、さらに傾けた後のＹＣデータの一部に基づく画像５６を示している。画像５１と画像５６を比較すると、人物５２〜５４の傾きが強調されていることが分かる。従って、利用者は、本発明の実施例であるデジタルスチルカメラの傾きを自然に認識し、これを修正するであろう。
【００３５】
また、ＹＣデータをさらに傾ける前に、画角を広くしてから拡大しているので、さらに傾けた後のＹＣデータを液晶ディスプレイ４０に出力しても画像の一部が欠けることはない。すなわち、一旦、画角を広くしてから拡大し、さらに傾けているので、さらに傾けた後のＹＣデータは、図４（ｃ）の点線で示す大きさをもつ。従って、さらに傾けた後のＹＣデータを液晶ディスプレイ４０に出力しても画像の一部が欠けることはないし、最初のＹＣデータに基づく画像５１とさらに傾けた後のＹＣデータの一部に基づく画像５６とで、画角が異なるということもない。
【００３６】
なお、さらに傾けた後のＹＣデータを液晶ディスプレイ４０に出力したときに、画像の一部が欠けることを許容するのであれば、画角を広くしてから拡大する必要はなく、最初のＹＣデータに基づく画像５１を、そのままさらに傾ければよい。
【００３７】
制御回路１３は、シャッター釦４１が押されたか否かを監視する（Ｓ６３）。シャッター釦４１が押されていなければ（Ｓ６３においてＮ）、Ｓ６１、Ｓ６２を繰り返す。このとき、画角を広くする程度は、傾き検出回路１２から取得した傾き角に基づいて決定してもよいし、所定の程度に固定しておいてもよい。前者の場合は、ＹＣデータの拡大が最小限度ですむので、液晶ディスプレイ４０に表示される画像の画質を大きく落すことがない。後者の場合は、撮像部１０内のズームレンズ１０ｂが頻繁に駆動されることがないので、消費電力を削減することができる。
【００３８】
シャッター釦４１が押されると（Ｓ６３においてＹ）、撮影動作に移行する。シャッター釦４１が押されると、制御回路１３は、本発明の実施例であるデジタルスチルカメラの傾き角を傾き検出回路１２から取得する（Ｓ６４）。なお、シャッター釦４１が押されたときに、あらためて傾き角を取得してもよし、表示動作において直前に取得した傾き角を使用してもよい。前者の場合は、実際の撮影時の傾き角を取得するので、傾き補正の精度が高まる。後者の場合は、あらためて傾き角を取得しないので、撮影動作の応答が早くなる。
【００３９】
傾き角が所定の角度よりも大きい場合は、傾き補正を行うが、傾き角が所定の角度よりも小さい場合は、傾き補正を行わない。所定の角度は、例えば、３°のように固定の角度であってもよいし、利用者が適宜設定できるようにしてもよい。また、顔検出機能を備え、被写体の中に人物の顔を検出したときのみ傾き補正を行うようにしてもよいし、建築物の撮影等、被写体の中に水平線または垂直線を多く検出したときに傾き補正を行うようにしてもよい。被写体の中に水平線または垂直線が多く含まれるか否かは、画像の水平方向または垂直方向の空間周波数分布を調べることで判定できる。さらに、利用者が意図的に傾いた写真を撮影したい場合に備え、傾き角が大きくても傾き補正を行わないよう設定できるようにしてもよい。
【００４０】
図５（ａ）は、シャッター釦４１が押されたときに、液晶ディスプレイ４０に表示されていた画像３１を示す図である。３人の人物３２〜３４が表示されている。３人の人物３２〜３４は反時計回りに傾いている。傾き検出回路１２から取得した傾き角は、時計回りに一定の角度を示している。
【００４１】
制御回路１３は、撮像部１０内のズームレンズ１０ｂを駆動するよう駆動回路１０ｃを制御する。これによって、被写体の大きさが縮小される。すなわち、画角が広くなる。画角を広くする程度は、傾き検出回路１２から取得した傾き角に基づいて決定することが望ましい。傾き角が大きい場合は、画角を広くする程度を大きくし、傾き角が小さい場合は、画角を広くする程度を小さくする。
【００４２】
これは、傾き角が大きいほど、傾き補正後に図６に示す欠け３５が大きくなり、このような欠け３５を生じさせないためには、被写体の大きさをより縮小する必要があるからである。なお、傾き角に関わらず画角を広くする程度を固定してもよいが、その場合は、画角を広くする程度を大きくして余裕をもたせておく必要がある。
【００４３】
このとき、フォーカスレンズ１０ｄを駆動して、被写体の光学画像を撮像素子１０ｅに合焦させるオートフォーカス動作との関係が問題となる。ズームレンズ１０ｂを駆動してからフォーカスレンズ１０ｄを駆動してオートフォーカス動作を行なうことが望ましい。ズームレンズ１０ｂが駆動されると、画角、すなわち光学系の焦点距離が変化し、ピントがずれるからである。しかし、ピントのずれが実用上無視できるような場合もあると考えられる。例えば、被写界深度が深い場合や焦点距離の変化量が小さい場合である。ピントのずれが実用上無視できるような場合は、オートフォーカス動作を行ってからズームレンズ１０ｂを駆動することも考えられる。なお、フォーカスレンズ１０ｄがズームレンズ１０ｂの駆動に追従するフォーカストラッキング機能を備えている場合は、オートフォーカス動作を行ってからズームレンズ１０ｂを駆動しても問題はない。
【００４４】
また、このとき、表示動作を行なうか否かが問題となる。表示動作を継続したままズームレンズ１０ｂを駆動すると、液晶ディスプレイ４０によって画角の変化が利用者に認識される場合がある。利用者が画角の変化を認識しないようにするためには、液晶ディスプレイ４０の表示をやめるか、ズームレンズ１０ｂを駆動する前の画像を継続して表示すればよい。また、電子ズーム回路１５による電子ズーム処理をズームレンズ１０ｂの駆動と同時並行に行い、電子ズーム処理が行なわれた画像を液晶ディスプレイ４０に表示することによって、見かけ上、画角の変化が現れないようにしてもよい。
【００４５】
ズームレンズ１０ｂの駆動が完了すると、制御回路１３は、撮像部１０が記録のためのＲＡＷデータをメインメモリ１１に書き込むよう制御する。図５（ｂ）は、メインメモリ１１に書き込まれた記録のためのＲＡＷデータに基づく画像３６を示す図である。被写体である３人の人物３２〜３４が、図５（ａ）と比較して縮小されていることが分かる。
【００４６】
次に、制御回路１３は、画像処理回路１４がメインメモリ１１から記録のためのＲＡＷデータ読み出し、ＹＣデータに変換し、メインメモリ１１に書き込むよう制御する。
【００４７】
次に、制御回路１３は、傾き変更回路１６がメインメモリ１１からＹＣデータを読み出し、図５（ｂ）に示す切出枠３７に従って切り出したＹＣデータを作成し、メインメモリ１１に書き込むよう制御する。
【００４８】
ここで、切出枠３７の縦横比は、記録のための元のＲＡＷデータ、あるいはこれから変換されたＹＣデータと同じである。切出枠３７の大きさは、傾き検出回路１２から取得した傾き角、あるいはこれに基づいて決定されたズームレンズ１０ｂの駆動量、その結果としての焦点距離の変化量のいずれかに基づいて決定される。切出枠３７の傾きは、傾き検出回路１２から取得した傾き角と大きさが同じで向きが反対である。
【００４９】
次に、制御回路１３は、圧縮伸張回路１７がメインメモリ１１から切り出されたＹＣデータを読み出し、圧縮ファイルに変換し、メインメモリ１１に書き込むよう制御する。また、制御回路１３は、表示回路１９がメインメモリ１１から切り出されたＹＣデータを読み出し、液晶ディスプレイ４０に所定の時間だけ出力するよう制御する（Ｓ６５）。液晶ディスプレイ４０には、傾き補正が行われた画像が表示される。次に、制御回路１３は、記録回路１８がメインメモリ１１から圧縮ファイルを読み出し、交換可能な記憶媒体（図示せず）に記録するよう制御する（Ｓ６６）。
【００５０】
図５（ｃ）は、メインメモリ１１に書き込まれた切り出されたＹＣデータに基づく画像３８を示す図である。傾き補正後の画像３８の一部が欠けることも、シャッター釦４１が押されたときに、液晶ディスプレイ４０に表示されていた画像３１と傾き補正後の画像３８とで画角が異なるということもない。
【００５１】
ただし、傾き補正後の画像３８は、記録のためのＲＡＷデータに基づく画像３１よりも画素数が少なくなっている。その割合は、切出枠３７の傾き、すなわち傾き検出回路１２から取得した傾き角に依存する。傾き補正後の画像３８の画素数を記録のためのＲＡＷデータに基づく画像３１と同じにする場合は、画像処理回路１４によって補間処理を行なえばよい。
【００５２】
なお、本発明の実施例であるデジタルスチルカメラでは、電子ズーム回路１５と傾き変更回路１６を別々の回路としたが、電子ズーム回路１５が傾き変更回路１６の機能を包含する構成であっても構わない。
（３．傾き強調の程度）
表示動作においても、傾き補正を行うことはできる。しかし、表示動作において、傾き補正を行うと、利用者は、デジタルスチルカメラの傾きを認識することができないから、撮影動作における傾き補正の限界を超えてデジタルスチルカメラを傾けてしまう場合がある。傾き補正後の画像の一部が欠けることを許容するのであれば別論であるが、そうでない場合は、ＹＣデータと切出枠３７の大きさから傾き補正の限界が決定される。そして、切出枠３７の大きさは、傾き検出回路１２から取得した傾き角、あるいはこれに基づいて決定されたズームレンズ１０ｂの駆動量、その結果としての焦点距離の変化量のいずれかに基づいて決定される。
【００５３】
そこで、傾き角が補正限界に近づくほど、傾き強調の程度を強くする。そうすると、傾き角が補正限界に近づくほど、本発明の実施例であるデジタルスチルカメラの傾きが強調されるから、利用者は、本発明の実施例であるデジタルスチルカメラの傾きを認識しやすくなる。一方、傾き角が小さいときは、傾き強調の程度を弱くする。そうすると、ＹＣデータの拡大が最小限度ですむので、液晶ディスプレイ４０に表示される画像の画質を大きく落すことがない。
【００５４】
図７は、傾き強調の程度を説明する図である。横軸は傾き角であり、縦軸は傾き強調の程度である。図７においては、傾き角が補正限界に近づくほど、傾き強調の程度が指数関数的に強くなる例を示した。しかし、この例に限らず、傾き強調の程度が直線的に強くなるようにしてもよい。また、傾き角が小さいときは、傾き強調をしないようにしてもよい。
【産業上の利用可能性】
【００５５】
本発明によれば、自装置の傾きを自然に認識することができるので、デジタルスチルカメラ、デジタルビデオカメラ等の撮像装置に適用することができる。
【符号の説明】
【００５６】
１０    撮像部
１０ａ    対物レンズ
１０ｂ    ズームレンズ
１０ｃ    駆動回路
１０ｄ    フォーカスレンズ
１０ｅ    撮像素子
１１    メインメモリ
１２    傾き検出回路
１３    制御回路
１４    画像処理回路
１５    電子ズーム回路
１６    傾き変更回路
１７    圧縮伸張回路
１８    記録回路
１９    表示回路
２０    操作回路
３１    画像
３２〜３４    人物
３５    欠け
３６    画角を広くした画像
３７    切出枠
３８    傾き補正後の画像
４０    液晶ディスプレイ
４１    シャッター釦
４２    モードダイヤル
４３    ズームレバー
４４    十字キー
５１    画像
５２〜５４    人物
５５    画角を広くした画像
５６    傾き強調後の画像
【図１】
2011155425.tif 000003
【図２】
2011155425.tif 000004
【図３】
2011155425.tif 000005
【図４】
2011155425.tif 000006
【図５】
2011155425.tif 000007
【図６】
2011155425.tif 000008
【図７】
2011155425.tif 000009